(57)【要約】      （修正有）【課題】伝送システムの目標ダイバーシティ次数の達成及び符号化利得の最大化を同時に行う。【解決手段】ネスト化ブロックチャネルを介して送信機から受信機へ情報データを伝送するシステムであって、送信機ＴＲＤは、エラー訂正符号構造に従う符号化器ＥＮＣを備え、受信機ＲＣＶは、エラー訂正符号構造に従って定義された復号器ＤＥＣを備え、ネスト化ブロックチャネルＮＢＣＨは、スケーリングされたＢＰＳＫバイナリ変調器ＢＭを備え、スケーリングされたＢＰＳＫバイナリ変調器の振幅は、１ビットの伝送ごとに変化することができる。このようなシステムは、符号化器ＥＮＣの符号化レートＲｃ又はネスト化ブロックチャネルＮＢＣＨのパラメータＤ、Ｌが、システムの目標ダイバーシティ次数を達成すると共に符号化利得を最大化するように、互いに依存して選択される。【選択図】図１
2009077390.tif 000002
【特許請求の範囲】
【請求項１】
ネスト化ブロックチャネルを介して送信機から受信機へ情報データを伝送するシステムであって、
前記送信機（ＴＲＤ）は、エラー訂正符号構造に従う符号化器（ＥＮＣ）を備え、
前記受信機（ＲＣＶ）は、前記エラー訂正符号構造に従って定義された復号器（ＤＥＣ）を備え、
前記ネスト化ブロックチャネル（ＮＢＣＨ）は、スケーリングされたＢＰＳＫバイナリ変調器（ＢＭ）を備え、該スケーリングされたＢＰＳＫバイナリ変調器（ＢＭ）の振幅は、１ビットの伝送ごとに変化することができ、
前記符号化器（ＥＮＣ）の符号化レート（Ｒｃ）又は前記ネスト化ブロックチャネル（ＮＢＣＨ）のパラメータ（Ｄ、Ｌ）は、前記システムの目標ダイバーシティ次数を達成すると共に符号化利得を最大化するように、互いに依存して選択されることを特徴とする、ネスト化ブロックチャネルを介して送信機から受信機へ情報データを伝送するシステム。
【請求項２】
前記ネスト化ブロックチャネル（ＮＢＣＨ）の数学モデルはブロックの連結から成り、
該ネスト化ブロックチャネルは、ダイバーシティ次数の集合Ｄ＝｛Ｄ（１），…，Ｄ（ｋ），…，Ｄ（｜Ｄ｜）｝及びブロックの長さの集合Ｌ＝｛Ｌ（１），…，Ｌ（ｋ），…，Ｌ（｜Ｄ｜）｝である２つのパラメータを有し、ここで、｜Ｄ｜は前記ダイバーシティ次数の集合Ｄの濃度であり、連結されるブロックの個数は｜Ｄ｜に等しく、
ｉ番目のブロックに関連するフェージング確率変数は、Ｓ（ｉ＋１）⊂Ｓ（ｉ）となるような、Ｄ（ｉ）個の確率変数の部分集合Ｓ（ｉ）の組み合わせによって定義され、ここで、整数値Ｄ（ｉ）≦λであり、λは独立フェージング分布の整数の個数であり、これは、∀ｉ＜ｊ，Ｄ（ｉ）≧Ｄ（ｊ）であり、Ｄ（１）＝λが最も高いダイバーシティ次数を有すると仮定することを意味し、
前記符号化器（ＥＮＣ）の符号化レート（Ｒｃ）、前記ネスト化ブロックチャネル（ＮＢＣＨ）の前記２つのパラメータ（Ｄ、Ｌ）、及び前記システムの前記達成可能な目標ダイバーシティ次数δは、関係
【数１】
2009077390.tif 000026
によって結びつけられることを特徴とする、請求項１に記載のシステム。
【請求項３】
前記ネスト化ブロックチャネル（ＮＢＣＨ）は、
その出力が変調シンボル（ｚｉ）のベクトルであるバイナリ変調器（ＭＯＤ）と、
部分線形結合器（ＬＣ）と、
Ｍ個のタイムスロットを含むスライディング三角チャネル（ＳＴ）と、
検出器（ＤＴ）とを備え、
変調シンボルの同じベクトル（Ｚ）内の前記変調シンボル（ｚｉ）は、前記線形結合器（ＬＣ）によって互いに結合され、該線形結合器（ＬＣ）は、前記スライディング三角チャネル（ＳＴ）を介する１回の送信に関連するＭ個の結合されたシンボル（ｘｉ）の出力ベクトル（Ｘ）を提供することを特徴とする、請求項２に記載のシステム。
【請求項４】
前記Ｍ個の結合されたシンボル（ｘｉ）のベクトル（Ｘ）における、最初の結合されたシンボル（ｘ１）及び最後のｓ−１個の結合されたシンボル（ｘ（Ｍ＋２−ｓ），…，ｘ（Ｍ））は、最初のｓ個の変調シンボル（ｚ１，…，ｚｓ）の線形結合であり、
その他の結合されたシンボル（ｘｉ）のそれぞれは、最後のＭ−ｓ個の変調シンボル（ｚｉ）のうちの１つに等しく、
ｓは、前記線形結合器の部分結合サイズであることを特徴する、請求項３に記載のシステム。
【請求項５】
前記等価なネスト化ブロックチャネル（ＮＢＣＨ）は、パラメータＤ＝｛Ｍ，Ｍ−１，…，ｓ｝及びＬ＝｛ｓＮ／Ｍ，Ｎ／Ｍ，…，Ｎ／Ｍ｝を有し、
前記符号化器（ＥＮＣ）の前記符号化レート（Ｒｃ）、前記スライディング三角（ＳＴ）チャネルのタイムスロットの個数Ｍ、及び前記線形結合器（ＬＣ）の前記部分結合サイズｓ、並びに前記達成可能な目標ダイバーシティ次数δは、以下の関係
【数２】
2009077390.tif 000027
を用いて互いに依存して選択されることを特徴とする、請求項４に記載のシステム。
【請求項６】
前記線形結合器の前記部分結合サイズｓは、前記目標ダイバーシティ次数δ、前記符号化器（ＥＮＣ）の前記レートＲｃ、前記スライディング三角（ＳＴ）チャネルのタイムスロットの個数Ｍに従って、以下の関係
【数３】
2009077390.tif 000028
を用いて選ばれることを特徴とする、請求項５に記載のシステム。
【請求項７】
前記スライディング三角チャネル（ＳＴ）を定義する前記伝送プロトコルのタイムスロットの個数Ｍは、前記線形結合器の前記部分線形結合サイズｓの倍数であり、
該線形結合器は、最初の結合されたシンボル（ｘ１）及び最後のｓ−１個のシンボル（ｘ（Ｍ＋２−ｓ），…，ｘ（Ｍ））が、最初のｓ個の変調シンボル（ｚ１，…，ｚｓ）の線形結合であり、２番目の結合されたシンボル（ｘ２）及び最後のｓ−１個のまだ考慮されていない結合されたシンボル（ｘ（Ｍ＋３−２ｓ），…，ｘ（Ｍ＋１−ｓ））が、ｓ個の次のまだ考慮されていない変調シンボル（ｚ（ｓ＋１），…，ｚ（２ｓ））の線形結合であり、以下同様であることを特徴とする、請求項３に記載のシステム。
【請求項８】
前記等価なネスト化ブロックチャネル（ＮＢＣＨ）は、パラメータＤ＝｛Ｍ，Ｍ−１，…，Ｍ＋１−Ｍ／ｓ｝及びＬ＝｛ｓＮ／Ｍ，…，ｓＮ／Ｍ｝を有し、
前記符号化器（ＥＮＣ）の前記符号化レート（Ｒｃ）、前記スライディング三角（ＳＴ）チャネルのタイムスロットの個数Ｍ、及び前記線形結合器（ＬＣ）の前記部分結合サイズｓ、並びに前記達成可能な目標ダイバーシティ次数δは、以下の関係
【数４】
2009077390.tif 000029
を用いて互いに依存して選択されることを特徴とする、請求項７に記載のシステム。
【請求項９】
前記線形結合器の前記部分結合サイズｓは、前記目標ダイバーシティ次数δ、前記符号化器（ＥＮＣ）の前記レートＲｃ、前記スライディング三角（ＳＴ）チャネルのタイムスロットの個数Ｍに従って、以下の関係
【数５】
2009077390.tif 000030
を用いて選ばれることを特徴とする、請求項８に記載のシステム。
【請求項１０】
前記検出器（ＤＥＴ）は、対数尤度比の形で、前記符号化器（ＥＮＣ）によって符号化された前記情報ビットのバージョンである前記符号化されたデータビットの推定値を得るために、包括的マージナライゼーションを行うことを特徴とする、請求項１〜９のいずれか一項に記載のシステム。
【請求項１１】
前記スライディング三角チャネル（ＳＴ）は、β個の中継器を使用するスロット化増幅転送プロトコルによって定義され、
前記スライディング三角チャネル（ＳＴ）の１回の使用は、前記スロット化増幅転送プロトコルの（β＋１）個のタイムスロットを含み、
前記線形結合行列Ｍのサイズはβ＋１に等しいことを特徴とする、請求項３〜１０のいずれか一項に記載のシステム。
【請求項１２】
前記送信機（ＴＲＤ）は、ビットインターリーバ（ＩＮＴ）を備え、
前記受信機（ＲＣＶ）は、デインターリーバ（ＤＩＮＴ）を備え、
前記ビットインターリーバ（ＩＮＴ）は、関連する前記復号器（ＤＥＣ）の出力における性能が、前記達成可能な目標ダイバーシティ次数を示すことを確実にするように、前記エラー訂正符号構造に従って設計されることを特徴とする、請求項１〜１１のいずれか一項に記載のシステム。
【請求項１３】
前記エラー訂正符号は、システマティックであり、
前記ビットインターリーバ（ＩＮＴ）は、前記等価なネスト化ブロックチャネルの前記最も高いダイバーシティ次数のブロックに、システマティックビットを配置することを特徴とする、請求項１２に記載のシステム。
【請求項１４】
ネスト化ブロックチャネルを介して受信機へ情報データを伝送するシステムの送信機（ＴＲＤ）であって、
該送信機（ＴＲＤ）は、エラー訂正符号構造に従う符号化器（ＥＮＣ）を備え、
前記受信機（ＲＣＶ）は、前記エラー訂正符号構造に従って定義された復号器（ＤＥＣ）を備え、
前記ネスト化ブロックチャネル（ＮＢＣＨ）は、スケーリングされたＢＰＳＫバイナリ変調器（ＢＭ）を備え、該スケーリングされたＢＰＳＫバイナリ変調器（ＢＭ）の振幅は、１ビットの伝送ごとに変化することができ、
前記符号化器（ＥＮＣ）の符号化レート（Ｒｃ）又は前記ネスト化ブロックチャネル（ＮＢＣＨ）のパラメータ（Ｄ、Ｌ）は、前記システムの目標ダイバーシティ次数を達成すると共に符号化利得を最大化するように、互いに依存して選択されることを特徴とする、ネスト化ブロックチャネルを介して受信機へ情報データを伝送するシステムの送信機。
【請求項１５】
前記ネスト化ブロックチャネル（ＮＢＣＨ）の数学モデルはブロックの連結から成り、
該ネスト化ブロックチャネルは、ダイバーシティ次数の集合Ｄ＝｛Ｄ（１），…，Ｄ（ｋ），…，Ｄ（｜Ｄ｜）｝及びブロックの長さの集合Ｌ＝｛Ｌ（１），…，Ｌ（ｋ），…，Ｌ（｜Ｄ｜）｝である２つのパラメータを有し、ここで、｜Ｄ｜は前記ダイバーシティ次数の集合Ｄの濃度であり、連結されるブロックの個数は｜Ｄ｜に等しく、
ｉ番目のブロックに関連するフェージング確率変数は、Ｓ（ｉ＋１）⊂Ｓ（ｉ）となるような、Ｄ（ｉ）個の確率変数の部分集合Ｓ（ｉ）の組み合わせによって定義され、ここで、整数値Ｄ（ｉ）≦λであり、λは独立フェージング分布の整数の個数であり、これは、∀ｉ＜ｊ，Ｄ（ｉ）≧Ｄ（ｊ）であり、Ｄ（１）＝λが最も高いダイバーシティ次数を有すると仮定することを意味し、
前記符号化器（ＥＮＣ）の符号化レート（Ｒｃ）、前記ネスト化ブロックチャネル（ＮＢＣＨ）の前記２つのパラメータ（Ｄ、Ｌ）、及び前記システムの前記達成可能な目標ダイバーシティ次数δは、関係
【数６】
2009077390.tif 000031
によって結びつけられることを特徴とする、請求項１４に記載の送信機。
【請求項１６】
前記ネスト化ブロックチャネル（ＮＢＣＨ）は、
その出力が変調シンボル（ｚｉ）のベクトルであるバイナリ変調器（ＭＯＤ）と、
部分線形結合器（ＬＣ）と、
Ｍ個のタイムスロットを含むスライディング三角チャネル（ＳＴ）と、
検出器（ＤＴ）とを備え、
変調シンボルの同じベクトル（Ｚ）内の前記変調シンボル（ｚｉ）は、前記線形結合器（ＬＣ）によって互いに結合され、該線形結合器（ＬＣ）は、前記スライディング三角チャネル（ＳＴ）を介する１回の送信に関連するＭ個の結合されたシンボル（ｘｉ）の出力ベクトル（Ｘ）を提供することを特徴とする、請求項１５に記載の送信機。
【請求項１７】
前記Ｍ個の結合されたシンボル（ｘｉ）のベクトル（Ｘ）における、最初の結合されたシンボル（ｘ１）及び最後のｓ−１個の結合されたシンボル（ｘ（Ｍ＋２−ｓ），…，ｘ（Ｍ））は、最初のｓ個の変調シンボル（ｚ１，…，ｚｓ）の線形結合であり、
その他の結合されたシンボル（ｘｉ）のそれぞれは、最後のＭ−ｓ個の変調シンボル（ｚｉ）のうちの１つに等しく、
ｓは、前記線形結合器の部分結合サイズであることを特徴する、請求項１６に記載の送信機。
【請求項１８】
前記等価なネスト化ブロックチャネル（ＮＢＣＨ）は、パラメータＤ＝｛Ｍ，Ｍ−１，…，ｓ｝及びＬ＝｛ｓＮ／Ｍ，Ｎ／Ｍ，…，Ｎ／Ｍ｝を有し、
前記符号化器（ＥＮＣ）の前記符号化レート（Ｒｃ）、前記スライディング三角（ＳＴ）チャネルのタイムスロットの個数Ｍ、及び前記線形結合器（ＬＣ）の前記部分結合サイズｓ、並びに前記達成可能な目標ダイバーシティ次数δは、以下の関係
【数７】
2009077390.tif 000032
を用いて互いに依存して選択されることを特徴とする、請求項１７に記載の送信機。
【請求項１９】
前記線形結合器の前記部分結合サイズｓは、前記目標ダイバーシティ次数δ、前記符号化器（ＥＮＣ）の前記レートＲｃ、前記スライディング三角（ＳＴ）チャネルのタイムスロットの個数Ｍに従って、以下の関係
【数８】
2009077390.tif 000033
を用いて選ばれることを特徴とする、請求項１８に記載の送信機。
【請求項２０】
前記スライディング三角チャネル（ＳＴ）を定義する前記伝送プロトコルのタイムスロットの個数Ｍは、前記線形結合器の前記部分線形結合サイズｓの倍数であり、
該線形結合器は、最初の結合されたシンボル（ｘ１）及び最後のｓ−１個のシンボル（ｘ（Ｍ＋２−ｓ），…，ｘ（Ｍ））が、最初のｓ個の変調シンボル（ｚ１，…，ｚｓ）の線形結合であり、２番目の結合されたシンボル（ｘ２）及び最後のｓ−１個のまだ考慮されていない結合されたシンボル（ｘ（Ｍ＋３−２ｓ），…，ｘ（Ｍ＋１−ｓ））が、ｓ個の次のまだ考慮されていない変調シンボル（ｚ（ｓ＋１），…，ｚ（２ｓ））の線形結合であり、以下同様であることを特徴とする、請求項１６に記載の送信機。
【請求項２１】
前記等価なネスト化ブロックチャネル（ＮＢＣＨ）は、パラメータＤ＝｛Ｍ，Ｍ−１，…，Ｍ＋１−Ｍ／ｓ｝及びＬ＝｛ｓＮ／Ｍ，…，ｓＮ／Ｍ｝を有し、
前記符号化器（ＥＮＣ）の前記符号化レート（Ｒｃ）、前記スライディング三角（ＳＴ）チャネルのタイムスロットの個数Ｍ、及び前記線形結合器（ＬＣ）の前記部分結合サイズｓ、並びに前記達成可能な目標ダイバーシティ次数δは、以下の関係
【数９】
2009077390.tif 000034
を用いて互いに依存して選択されることを特徴とする、請求項２０に記載の送信機。
【請求項２２】
前記線形結合器の前記部分結合サイズｓは、前記目標ダイバーシティ次数δ、前記符号化器（ＥＮＣ）の前記レートＲｃ、前記スライディング三角（ＳＴ）チャネルのタイムスロットの個数Ｍに従って、以下の関係
【数１０】
2009077390.tif 000035
を用いて選ばれることを特徴とする、請求項２１に記載の送信機。
【請求項２３】
前記送信機（ＴＲＤ）は、ビットインターリーバ（ＩＮＴ）を備え、
前記受信機（ＲＣＶ）は、デインターリーバ（ＤＩＮＴ）を備え、
前記ビットインターリーバ（ＩＮＴ）は、関連する前記復号器（ＤＥＣ）の出力における性能が、前記達成可能な目標ダイバーシティ次数を示すことを確実にするように、前記エラー訂正符号構造に従って設計されることを特徴とする、請求項１４〜２２のいずれか一項に記載の送信機。
【請求項２４】
前記エラー訂正符号は、システマティックであり、
前記ビットインターリーバ（ＩＮＴ）は、前記等価なネスト化ブロックチャネルの前記最も高いダイバーシティ次数のブロックに、システマティックビットを配置することを特徴とする、請求項２３に記載の送信機。
【発明の詳細な説明】
【技術分野】
【０００１】
本発明は、ネスト化ブロックチャネル(nested block channel)を介して送信機から受信機へ情報データを伝送するシステムに関する。また、本発明は、このようなシステムの送信機にも関する。
【０００２】
以下では、チャネル資源は、周波数帯域幅、時間間隔、及び、場合によっては、種々の空間位置に配置された送信アンテナ及び受信アンテナによってもたらされる幾つかの空間次元を意味する。
【背景技術】
【０００３】
無線チャネルを介して送信される信号は、フェージング、シャドウイング、及び他の送信機からの干渉等のチャネル変動によって深刻な劣化を受ける。このことによって、チャネルを確率変数とみなすことが可能になる。以下では、情報ワードの送信に必要な時間に対してゆるやかなチャネル変動が検討されるが、チャネルの実現値(realization)は、情報ワードの２つの送信の間に変化しているはずである。いわゆる準静的フェージング(quasi-static fading)に対抗する１つの主な方法は、時間、周波数、又は空間のいずれかにおいてダイバーシティを提供することである。
【０００４】
チャネルダイバーシティ次数は、チャネル資源内で観測される独立なフェージング確率変数の個数として定義される。送受信方式は、システムのダイバーシティ次数と呼ばれる所与のダイバーシティを収集することができる。このシステムのダイバーシティ次数は、フルダイバーシティ次数とも呼ばれるチャネルダイバーシティ次数によって上限が抑えられる。
【０００５】
情報ワードが受信機によって正しく推定されないとき、誤り事象(error event)が発生する。所与の誤り事象に関連する誤りの確率を計算することを可能にする主なパラメータは、送信情報ワードに関連する無雑音受信信号と、復号情報ワードに関連する復元された無雑音受信信号との間のユークリッド距離である。誤り事象のダイバーシティ次数は、誤り事象に関連するユークリッド距離に関与する独立な確率変数の個数として定義される。最後に、システムのダイバーシティ次数は、起こり得るすべての誤り事象の最小ダイバーシティ次数に等しい。すなわち、起こり得るすべての情報ワード対の最小ダイバーシティ次数に等しい。
【０００６】
空間ダイバーシティの高い次数及び高い容量を提供する複数アンテナシステムは、広範囲にわたって研究されてきた。しかしながら、アナログ無線周波数コンポーネントが高価であるために、モバイル端末におけるアンテナ数は、多くの場合、１つの送信無線周波数パス及び２つの受信無線周波数パスに限られている。このようなモバイル端末では、ＯＦＤＭベース（直交周波数分割多重）伝送システム等の狭帯域チャネル上で、送信信号が高いダイバーシティ次数を獲得することはできない。
【０００７】
それゆえ、複数の端末が互いの能力を使用する「協調通信(cooperative communications)」の概念が導入された。これによって、信号は高いダイバーシティ次数を獲得することが可能になり、他の端末によって送信される信号により、論文「User cooperation diversity. Part I. system description」（IEEE Transactions on Communications, vol. 51, no. 11, pp. 1927-1938, Nov. 2003'）にSendonaris他によって提案されたような仮想アンテナアレイが得られる。以下では、協調伝送プロトコルの概念を説明する。これは、以下で説明する本発明の一用途である。
【０００８】
このようなシステムの１つの可能な用途は、中央制御ユニットに依存せず、固定されたインフラストラクチャを持たない、例えばメッシュネットワーク等の無線アドホックネットワークである。ノードは、チャネル状態及びモバイルロケーションに基づいてネットワークを形成することによって通信する。
【０００９】
このようなシステムの別の用途は、セルラーシステムのセル内ユーザの協調である。信頼できる通信は、ダイバーシティを通じて、また基地局から離れた端末からの信号を中継することによって達成することができる。従来のシステムと比較したこのようなシステムの利点は、より多くのユーザがネットワークにいるほど、ユーザはより確実に通信できるということである。これは、協調システムのインフラストラクチャの非厳格性(non-rigidity)の結果である。それに対して、非協調システムのインフラストラクチャの厳格性(rigidity)は、ネットワークを共有している端末の個数と共にブロッキング確率が増加することを伴う。
【００１０】
協調システムの欠点は、ユーザ間チャネルが雑音を有するということである。この欠点を装うために、複数の協調プロトコルが開発されており、ユーザ間の協調を行う方法を定義している。
【００１１】
協調プロトコルは、増幅転送(Amplify-and-Forward)(ＡＦ)法及び復号転送(Decode-and-Forward)(ＤＦ)法の２つの主なカテゴリーに分類することができる。以下では、ＡＦプロトコルに焦点を当てる。
【００１２】
中継器は、例えばユーザモバイル無線機器又はセルの範囲の拡大に使用される機器である。ＡＦプロトコルを使用すると、中継器は、送信元（基地局又は別の中継器）から受信した信号を送信先（基地局又は別の中継器）へ転送する前に、その信号の増幅だけをおこなう。これらのプロトコルは、プロトコルが中継器にもたらす計算複雑度がスケーリング演算に限られるので、実際の実施が容易である。
【００１３】
複数のＡＦプロトコルが、例えば、ＴＤＭＡベースプロトコルＩとしても知られている非直交増幅転送(non-orthogonal amplify-and-forward)(ＮＡＦ)プロトコル等の単一中継器の場合のために設計されている。この場合、送信元は、第１フェーズで、中継器及び送信先の双方へ信号をブロードキャストする。第２フェーズでは、中継器が信号をスケーリングして送信先へ転送する一方、送信元は別のメッセージを送信先へ送信する（Nabar他著「Fading relay channel: performance limits and space-time signal design」（IEEE Journal on Selected Areas in Communications, vol. 22, no. 6, pp. 1099-1109, August 2004））。
【００１４】
以下では、複数の中継器が伝送システムによって使用される場合に焦点を当てる。選択される伝送プロトコルは、Ｍ個のタイムスロットの所定のセットのセットである各タイムスロットにわたって信号を伝送する。
【００１５】
例えば、既知のスロット化増幅転送(Slotted Amplify-and-Forward)(ＳＡＦ)プロトコルを使用することができる。しかしながら、本発明は、半二重非直交増幅転送協調チャネルを介する伝送に限定されるものではない。
【００１６】
図１は、本発明による伝送システムを示す概略図である。システムＳＹＳＴは、送信機ＴＲＤ、受信機ＲＣＶ、及びネスト化ブロックチャネルＮＢＣＨを備える。送信機ＴＲＤは例えばモバイルユーザ機器であり、受信機ＲＣＶは例えば基地局である。
【００１７】
送信機ＴＲＤは、エラー訂正符号構造に従った符号化器ＥＮＣを備える。大まかに述べると、ディジタル送信は次のように行われる。送信する情報データビット｛ｂ｝が、レートＲｃ＝Ｋ／Ｎで符号化器ＥＮＣに供給される。ここで、Ｋは入力データビット｛ｂ｝の数であり、Ｎは出力される符号語｛ｃ｝のビット数である。符号化器ＥＮＣは、任意のタイプのエラー訂正符号構造に従うことができ、例えば、ＬＤＰＣ（低密度パリティチェック）符号、ターボ符号、ブロック符号（例えばリード・ソロモン）、バイナリ畳み込み符号等に従うことができる。符号化されたビットは、その後、バイナリ変調器ＢＭ及びブロックチャネルＢＣＨを備えるネスト化ブロックチャネルＮＢＣＨを介して送信される。
【００１８】
バイナリ変調器ＢＭは、スケーリングされたＢＰＳＫ変調を適用する。すなわち、「０」のビット値及び「１」のビット値は、２つの相反する値（たとえば、Ａ及び−Ａ）にそれぞれ関連付けられる。さらに、対応するユークリッド距離２Ａは、１ビットごとの送信で変化する可能性がある。
【００１９】
ブロックチャネルＢＣＨは、図２に関して以下のように定義される。λ個の独立フェージング分布｛α1，…，αλ｝を考える。Ｍ（Ｄ，Ｌ）を、｜Ｄ｜個のブロックの連結から構築されたネスト化ブロックチャネルＮＢＣＨの数学モデルとする。ここで、Ｄ＝｛Ｄ（１），…，Ｄ（ｋ），…，Ｄ（｜Ｄ｜）｝は、各ブロックのダイバーシティ次数の集合であり、Ｌ＝｛Ｌ（１），…，Ｌ（ｋ），…，Ｌ（｜Ｄ｜）｝は、各ブロックの長さの集合である。集合Ｄ及びＬは、ネスト化ブロックチャネルのパラメータである。整数値｜Ｄ｜は、集合Ｄの濃度である。ｉ番目のブロックに関連するフェージング確率変数は、Ｓ（ｉ＋１）⊂Ｓ（ｉ）となるような、Ｄ（ｉ）個の確率変数の部分集合Ｓ（ｉ）の組み合わせによって定義される。ここで、整数値Ｄ（ｉ）≦λである。これは、∀ｉ＜ｊ，Ｄ（ｉ）≧Ｄ（ｊ）であり、Ｄ（１）＝λが最も高いダイバーシティ次数を有すると仮定することを意味する。
【００２０】
通常通り、幾つかのディジタル又はアナログ送信ブロック、伝搬チャネル、及び幾つかのディジタル又はアナログ受信ブロックを連結したものは、等価チャネルを定義する。等価チャネルがネスト化ブロックチャネルモデルに従うシステムは、本発明の範囲に入る。ネスト化ブロックチャネルモデルの入力は符号化器の出力であり、ネスト化ブロックチャネルモデルの出力は復号器の入力である。
【００２１】
受信機ＲＣＶは、符号化されたビット｛ｃ｝の受信バージョン
【００２２】
【数１】
2009077390.tif 000003
【００２３】
を、情報データビット｛ｂ｝の推定値
【００２４】
【数２】
2009077390.tif 000004
【００２５】
に変換する復号器ＤＥＣを備える。
【００２６】
この伝送システムの一変形は、図１に示すように、ビットインターリーバＩＮＴを使用して、符号化されたビットをインターリーブすると共に、受信機側で、ビットデインターリーバＤＩＮＴを使用して、関連するビットのデインターリーブを適用することである。
【００２７】
準静的チャネルの場合、最適化される第１の基準は、システムのダイバーシティ次数である。システムのダイバーシティ次数が与えられた場合に、符号化利得は、最適化される第２の基準であり、これはエラー訂正符号構造及びスケーリングされたＢＰＳＫバイナリ変調ユークリッド距離に依存する。
【発明の開示】
【発明が解決しようとする課題】
【００２８】
本発明によって解決される問題は、伝送システムＳＹＳＴの目標ダイバーシティ次数の達成及び符号化利得の最大化を同時に行うために、伝送システムＳＹＳＴを最適化することである。
【課題を解決するための手段】
【００２９】
実際に、本発明によれば、ネスト化ブロックチャネルを介して送信機から受信機へ情報データを伝送するシステムであって、送信機は、エラー訂正符号構造に従う符号化器を備え、受信機は、エラー訂正符号構造に従って定義された復号器を備え、ネスト化ブロックチャネルは、スケーリングされたＢＰＳＫバイナリ変調器を備え、スケーリングされたＢＰＳＫバイナリ変調器の振幅は、１ビットの伝送ごとに変化することができ、システムは、符号化器の符号化レート又はネスト化ブロックチャネルのパラメータが、システムの目標ダイバーシティ次数を達成すると共に符号化利得を最大化するように、互いに依存して選択されることを特徴とする。
【００３０】
ネスト化ブロックチャネルの数学モデルはブロックの連結から成り、ネスト化ブロックチャネルは、ダイバーシティ次数の集合Ｄ＝｛Ｄ（１），…，Ｄ（ｋ），…，Ｄ（｜Ｄ｜）｝及びブロックの長さの集合Ｌ＝｛Ｌ（１），…，Ｌ（ｋ），…，Ｌ（｜Ｄ｜）｝である２つのパラメータを有する。ここで、｜Ｄ｜はダイバーシティ次数の集合Ｄの濃度であり、連結されるブロックの個数は｜Ｄ｜に等しい。ｉ番目のブロックに関連するフェージング確率変数は、Ｓ（ｉ＋１）⊂Ｓ（ｉ）となるような、Ｄ（ｉ）個の確率変数の部分集合Ｓ（ｉ）の組み合わせによって定義される。ここで、整数値Ｄ（ｉ）≦λであり、λは独立フェージング分布の整数の個数である。これは、∀ｉ＜ｊ，Ｄ（ｉ）≧Ｄ（ｊ）であり、Ｄ（１）＝λが最も高いダイバーシティ次数を有すると仮定することを意味する。システムは、符号化器の符号化レート、ネスト化ブロックチャネルの２つのパラメータ、及びシステムの達成可能な目標ダイバーシティ次数δが、関係
【００３１】
【数３】
2009077390.tif 000005
【００３２】
によって結びつけられることを特徴とする。
【００３３】
ネスト化ブロックチャネルの一実施の形態によれば、ネスト化ブロックチャネルは、その出力が変調シンボルのベクトルであるバイナリ変調器と、部分線形結合器と、後述するスライディング三角チャネル(Sliding Triangular channel)と、検出器とを備え、変調シンボルの同じベクトル内の変調シンボルは、線形結合器によって互いに結合され、線形結合器は、Ｍ個の結合されたシンボルの出力ベクトルを提供することを特徴とする。
【００３４】
全線形結合器(full linear combiner)は、以下のように定義される。すなわち、各出力シンボルは、すべての入力シンボルの線形結合として定義される。単位線形結合器(identity linear combiner)は、以下のように定義される。すなわち、シンボルの出力ベクトルは、シンボルの入力ベクトルと等しいと定義される。部分線形結合器(partial linear combiner)は、全線形結合器でもなく、単位線形結合器でもない線形結合器である。
【００３５】
線形結合器の一実施の形態によれば、システムは、Ｍ個の結合されたシンボルのベクトルにおける、最初の結合されたシンボル及び最後のｓ−１個の結合されたシンボルは、最初のｓ個の変調シンボルの線形結合であり、その他の結合されたシンボルのそれぞれは、最後のＭ−ｓ個の変調シンボルのうちの１つに等しいことを特徴する。線形結合器のパラメータｓは、線形結合器の部分結合サイズと呼ばれる。
【００３６】
システムのこの実施の形態によれば、等価なネスト化ブロックチャネルは、パラメータＤ＝｛Ｍ，Ｍ−１，…，ｓ｝及びＬ＝｛ｓＮ／Ｍ，Ｎ／Ｍ，…，Ｎ／Ｍ｝を有し、システムは、符号化器の符号化レート、スライディング三角チャネルのタイムスロットの個数Ｍ、及び線形結合器の部分結合サイズｓ、並びに達成可能な目標ダイバーシティ次数δが、以下の関係
【００３７】
【数４】
2009077390.tif 000006
【００３８】
を用いて互いに依存して選択されることを特徴とする。
【００３９】
システムの別の実施の形態によれば、線形結合器の部分結合サイズｓは、目標ダイバーシティ次数δ、符号化器のレートＲｃ、スライディング三角チャネルのタイムスロットの個数Ｍに従って
【００４０】
【数５】
2009077390.tif 000007
【００４１】
により選ばれる。
【００４２】
線形結合器の別の実施の形態によれば、スライディング三角チャネルを介する伝送のタイムスロットの個数は、線形結合器の部分線形結合サイズｓであるパラメータの倍数であり、線形結合器は、最初の結合されたシンボル及び最後のｓ−１個のシンボルが、最初のｓ個の変調シンボルの線形結合であり、２番目の結合されたシンボル及び最後のｓ−１個のまだ考慮されていない結合されたシンボルが、ｓ個の次のまだ考慮されていない変調シンボルの線形結合であり、以下同様であることを特徴とする。線形結合器のパラメータｓは、線形結合器の部分結合サイズと呼ばれる。
【００４３】
システムのこの実施の形態によれば、等価なネスト化ブロックチャネルは、パラメータＤ＝｛Ｍ，Ｍ−１，…，Ｍ＋１−Ｍ／ｓ｝及びＬ＝｛ｓＮ／Ｍ，…，ｓＮ／Ｍ｝を有し、符号化器の符号化レート、スライディング三角チャネルのタイムスロットの個数Ｍ、及び線形結合器の部分結合サイズｓ、並びに達成可能な目標ダイバーシティ次数δは、以下の関係
【００４４】
【数６】
2009077390.tif 000008
【００４５】
を用いて互いに依存して選択されることを特徴とする。
【００４６】
システムの別の実施の形態によれば、線形結合器の部分結合サイズｓは、目標ダイバーシティ次数δ、符号化器のレートＲｃ、スライディング三角チャネルのタイムスロットの個数Ｍに従って、以下の関係
【００４７】
【数７】
2009077390.tif 000009
【００４８】
を用いて選ばれる。
【００４９】
検出器の一実施の形態によれば、検出器は、対数尤度比の形で、符号化されたデータビット、又はシステムの変形によるそのような符号化されたデータビットのインターリーブされたバージョンの推定値を得るために、包括的マージナライゼーション(exhaustive marginalization)を行う。
【００５０】
スライディング三角チャネルの一実施の形態によれば、スライディング三角チャネルは、β個の中継器を使用するスロット化増幅転送プロトコルによって定義され、スライディング三角チャネルの１回の使用は、スロット化増幅転送プロトコルの（β＋１）個のタイムスロットを含み、線形結合行列Ｍのサイズはβ＋１に等しい。
【００５１】
システムの一実施の形態によれば、送信機は、ビットインターリーバを備え、受信機は、デインターリーバを備え、ビットインターリーバは、関連する復号器の出力における性能が、達成可能な目標ダイバーシティ次数を示すことを確実にするように、エラー訂正符号構造に従って設計される。
【００５２】
システムの別の実施の形態によれば、エラー訂正符号は、システマティックであり、ビットインターリーバは、等価なネスト化ブロックチャネルの最も高いダイバーシティ次数のブロックに、システマティックビットを配置する。
【００５３】
上述した本発明の特徴だけでなく、他の特徴も、添付図面に関連して与えられる以下の説明を読むことによってより明らかになる。
【発明を実施するための最良の形態】
【００５４】
本発明によれば、冒頭のパラグラフに記載した伝送システムＳＹＳＴは、システムＳＹＳＴの達成可能な目標ダイバーシティ次数δが、関係
【００５５】
【数８】
2009077390.tif 000010
【００５６】
によって結びつけられるということを特徴とする。
【００５７】
図３は、本発明によるネスト化ブロックチャネルＮＢＣＨの一実施形態を示している。ネスト化ブロックチャネルＮＢＣＨは、バイナリ変調器ＭＯＤ、線形結合器ＬＣ、スライディング三角チャネルＳＴ、及び検出器ＤＥＴを備える。
【００５８】
バイナリ変調器ＭＯＤは、例えばＢＰＳＫ（２位相偏移変調）又はＱＰＳＫ（４位相偏移変調）であり、好ましくはＭ直交振幅変調（Ｍ−ＱＡＭ）である。バイナリ変調器ＭＯＤの入力は、符号化されたビット｛ｃ｝、又はシステムの変形によれば、このような符号化されたビットのインターリーブされたバージョン｛ｃ｝であり、出力は変調シンボルｚｉのベクトルである。シンボルｚｉのベクトルは、少なくとも１つのベクトルＺに分割される。ここで、ベクトルＺは、シンボルｚｉの長さＭのベクトルである。続いて、同じベクトルＺ内のシンボルｚｉは、線形結合器ＬＣによって互いに結合される。線形結合器ＬＣは、結合されたＭ個のシンボルｘｉの出力ベクトルＸを提供する。
【００５９】
数学的に述べると、ベクトルＸは、ベクトルＺとＭ×Ｍ複素行列Ｓとの乗算によって取得される。
【００６０】
次に、シンボルのベクトルＸは、後述するスライディング三角チャネルＳＴを通じて送信される。行列形式では、信号モデルは
【００６１】
【数９】
2009077390.tif 000011
【００６２】
によって与えられる。
【００６３】
ここで、Ｙdは受信信号の長さＭのベクトルであり、Ｚは長さＭのベクトルであり、Ｗcは長さＭの付加雑音ベクトルであり、Ｈは
【００６４】
【数１０】
2009077390.tif 000012
【００６５】
によって与えられるブロックチャネルＢＣＨを定義する上三角行列である。
【００６６】
ここで、
【００６７】
【数１１】
2009077390.tif 000013
【００６８】
は項ごとの積を示し、ａ1，ａ2，…，ａMは、チャネルのダイバーシティ特性を規定するフェージング確率変数の係数である。γi,j値は、確率変数又は固定パラメータである。チャネルは、フェージング係数の構成が同じであれば、ＳＴチャネルと等価になる。
【００６９】
変調シンボルｚｉは、ａｉ個の確率変数に関連するチャネル不完全性(channel imperfection)以外の他のチャネル不完全性、例えば、付加雑音、他の乗法確率変数(multiplicative random variable)によって混乱される場合があることに留意されたい。重要なことを述べると、ｚｉに関連するダイバーシティ次数を生成する確率変数の集合は、ｚ（ｉ―１）の送信に関連する確率変数に、ダイバーシティの追加次数をもたらす１つの確率変数を加えた確率変数以外の確率変数の集合と同じ集合である。
【００７０】
検出器ＤＥＴの一実施形態によれば、信号Ｙdの最適な検出は、検出器ＤＥＴにおける包括的マージナライザーションを行うことによって達成される。検出器ＤＥＴは、符号化されたビットに対する推定値を、対数尤度比（ＬＬＲ）の形で生成する。
【００７１】
ＬＬＲ値により、符号化されたビットは、スケーリングされたＢＰＳＫ変調によって変調され、ネスト化ブロックチャネルＮＢＣＨに記述されるようなブロックチャネルを介して送信されたように見える。したがって、変調、線形結合、スライディング三角チャネルを通じた送信、及び検出の４つのステップは、ネスト化ブロックチャネルＮＢＣＨと等価である。等価なネスト化ブロックチャネルＮＢＣＨのパラメータＬ及びＤは、タイムスロットの個数Ｍ、線形結合器ＬＣによって互いに結合される変調シンボルｚｉの個数ｓ、及び送信される符号化されたビットの個数Ｎから導き出される。
【００７２】
線形結合器ＬＣの一実施形態によれば、線形結合器ＬＣは以下のように定義される。すなわち、ベクトルＸの最初のシンボルｘ１及び最後の（ｓ−１）個のシンボルｘ（Ｍ＋２−ｓ），…，ｘ（Ｍ）は、最初のｓ個のシンボルｚ１，…，ｚｓの線形結合である。他のＭ−ｓ個のシンボルは未変更のままである。すなわち、ｘ（１＋ｉ）＝ｚ（ｓ＋ｉ）である。線形結合器のパラメータｓは、線形結合器の部分結合サイズと呼ばれる。１＜ｓ＜Ｍである場合、線形結合器は部分線形結合器である。線形結合器は以下の行列構造と数学的に等価である。
【００７３】
【数１２】
2009077390.tif 000014
【００７４】
線形結合器ＬＣのこの実施形態によれば、等価なネスト化ブロックチャネルＮＢＣＨは、パラメータＤ＝｛Ｍ，Ｍ−１，…，ｓ｝及びＬ＝｛ｓＮ／Ｍ，Ｎ／Ｍ，…，Ｎ／Ｍ｝を有する。
【００７５】
符号化器ＥＮＣの符号化レートＲｃ、又は、ネスト化ブロックチャネルＮＢＣＨのパラメータＤ及びＬは、以下の関係
【００７６】
【数１３】
2009077390.tif 000015
【００７７】
を用いて、システムＳＹＳＴの目標ダイバーシティ次数を達成すると共に符号化利得を最大化するように、互いに依存して選択される。
【００７８】
パラメータＭ及びＲｃが固定されていて、高いスペクトル効率の変調（例えば、１６−ＱＡＭ）の場合、ｓの幾つかの値は、同じ目標ダイバーシティδをもたらす可能性がある。ｓが最小にされた場合に符号化利得は最大化される。これは、線形結合ＬＣの選択されるパラメータｓを
【００７９】
【数１４】
2009077390.tif 000016
【００８０】
とすることを正当化する。
【００８１】
線形結合器ＬＣの第２の実施形態によれば、パラメータｓはパラメータＭを除算し、線形結合器は以下のように定義される。すなわち、最初のシンボルｘ１及び最後の（ｓ−１）個のシンボルｘ（Ｍ＋２−ｓ），…，ｘ（Ｍ）は、最初のシンボルｚ１，…，ｚｓの線形結合である。２番目のシンボルｘ２及び最後の（ｓ−１）個のまだ選択されていないシンボルｘ（Ｍ＋３−２ｓ），…，ｘ（Ｍ＋１−ｓ）は、シンボルｚ（ｓ＋１），…，ｚ（２ｓ）の線形結合であり、以下同様である。１＜ｓ＜Ｍである場合、線形結合器ＬＣは部分線形結合器である。
【００８２】
この実施形態によれば、等価なネスト化ブロックチャネルは、パラメータＤ＝｛Ｍ，Ｍ−１，…，Ｍ＋１−Ｍ／ｓ｝及びＬ＝｛ｓＮ／Ｍ，…，ｓＮ／Ｍ｝を有する。
【００８３】
符号化レートＲｃ、又は、ネスト化ブロックチャネルＮＢＣＨのパラメータＤ及びＬは、以下の関係
【００８４】
【数１５】
2009077390.tif 000017
【００８５】
を用いて、システムＳＹＳＴの目標ダイバーシティ次数を達成すると共に符号化利得を最大化するように、互いに依存して選択される。
【００８６】
パラメータＭ及びＲｃが固定されていて、高いスペクトル効率の変調（例えば、１６−ＱＡＭ）の場合、ｓの幾つかの値は、同じ目標ダイバーシティ
【００８７】
【数１６】
2009077390.tif 000018
【００８８】
をもたらす可能性がある。ｓが最小にされた場合に符号化利得は最大化される。これは、線形結合ＬＣの選択されるパラメータｓを
【００８９】
【数１７】
2009077390.tif 000019
【００９０】
とすることを正当化する。
【００９１】
ＳＴチャネルの一実施形態によれば、ＳＴチャネルは、幾つかの中継器を有する協調伝送のＳＡＦプロトコルによって定義される。
【００９２】
図４は、ＳＡＦチャネルモデルの中継器間通信プロトコルを表している。実際には、結合されたシンボルｘｉの雑音を有する減衰されたバージョンが中継器及び受信機で受信されることに留意されたい。
【００９３】
この例によれば、β個の中継器が使用される。これは、チャネルＳＴの１回の使用が、ＳＡＦプロトコルの（β＋１）個のタイムスロットＴｓｉを含み、線形結合行列のサイズがＭ＝β＋１となるように選ばれることを伴う。
【００９４】
ＳＡＦプロトコルの最初のタイムスロットＴＳ１の期間中、送信機ＴＲＤは最初のシンボルｘ１を送信する。この最初のシンボルｘ１は、第１の中継器Ｒ１及び受信機ＲＣＶによって受信される。一般的なＳＡＦプロトコルの２番目のタイムスロットＴＳ２の期間中、送信機ＴＲＤは２番目のシンボルｘ２を送信し、中継器Ｒ１はシンボルｘ１の先に受信したバージョンを送信する。これらのシンボルは、受信機ＲＣＶ及び第２の中継器Ｒ２によって受信される。
【００９５】
一般的なＳＡＦプロトコルの３番目のタイムスロットＴＳ３の期間中、送信機ＴＲＤは３番目のシンボルｘ３を送信し、中継器Ｒ２は先に受信されて結合されたシンボルｘ１及びｘ２のバージョンを送信する。これらのシンボルは、受信機ＲＣＶ及び第３の中継器Ｒ３によって受信される。
【００９６】
一般的なＳＡＦプロトコルの最後のタイムスロットＴＳ（β＋１）の期間中、送信機ＴＲＤは最後のシンボルｘ（β＋１）を送信し、最後の中継器Ｒβは先に受信されて結合されたシンボルｘ１，…，ｘβのバージョンを送信する。これらのシンボルは、受信機によって受信される。
【００９７】
結果にとして、最初のシンボルｘ１のバージョンは、１回のチャネル使用における（β＋１）個のタイムスロットのそれぞれの期間中に送信される。ｉ番目のシンボルｘｉのバージョンは、最後の（β＋１）−ｉ＋１個のタイムスロットの期間中に送信される。最後のシンボルｘ（β＋１）のバージョンは、ＳＡＦプロトコルの最後のタイムスロットの期間中にのみ、受信機ＲＣＶによって受信される。
【００９８】
中継器Ｒ１は、最初のタイムスロットＴＳ１の期間中に最初のシンボルｘ１のバージョンを受信し、それを２番目のタイムスロットＴＳ２の期間中に再送信する。ｉ番目の中継器Ｒｉは、最初のｉ個のシンボルｘｉのバージョンを結合したものを、ｉ番目のタイムスロットの期間中に受信し、それをｉ＋１番目のタイムスロットの期間中に再び送信する（ｉ番目の中継器は、送信機及びｉ−１番目の中継器によって送信された信号を受信する）。
【００９９】
その結果、最初のシンボルｘ１が運ぶ符号化されたデータビットの推定値は、復号器ＤＥＣによって感知されるダイバーシティ次数Ｄ（β＋１）を有する。ｉ番目のシンボルｘｉが運ぶ符号化されたデータビットの推定値は、復号器ＤＥＣによって感知されるダイバーシティ次数Ｄ（β＋２−ｉ）を有する。最後のシンボルｘ（β＋１）が運ぶ符号化されたデータビットの推定値は、復号器ＤＥＣによって感知されるダイバーシティ次数Ｄ（１）を有する。
【０１００】
受信機ＲＣＶは、最初のタイムスロットＴＳ１の期間中に最初のシンボルｘ１のバージョンを受信し、タイムスロットＴｓｉの期間中に最初のｉ個のシンボルｘｉのバージョンの結合したものを受信し、最後のタイムスロットの期間中にすべての（β＋１）個のシンボルｘｉのバージョンを結合したものを受信する。
【０１０１】
数学的に述べると、β個の中継器Ｒｉが考慮されるときの送信機ＴＲＤと受信機ＲＣＶとの間で伝送される信号モデルは
【０１０２】
【数１８】
2009077390.tif 000020
【０１０３】
によって与えられる。ここで、ｉ＝１，…，β＋１である。下付き文字ｓｒ（送信元を表す）は送信機ＴＲＤに対応し、ｄ（送信先を表す）は受信機ＲＣＶに対応し、ｒi（中継器を表す）はｉ番目の中継器に対応する。分散１の複素シンボルｘｉは、ｉ番目のタイムスロットで送信され、受信機におけるｉ番目のタイムスロットの受信信号は
【０１０４】
【数１９】
2009077390.tif 000021
【０１０５】
であり、
【０１０６】
【数２０】
2009077390.tif 000022
【０１０７】
は、ｉ番目の中継器Ｒｉによって受信された信号である。係数εiは、送信機ＴＲＤによってｉ番目のタイムスロットで送信されるエネルギーを表す。ｈk,lは、フェージング係数であり、
【０１０８】
【数２１】
2009077390.tif 000023
【０１０９】
及び
【０１１０】
【数２２】
2009077390.tif 000024
【０１１１】
は、ＡＷＧＮ雑音成分である。γiは、
【０１１２】
【数２３】
2009077390.tif 000025
【０１１３】
及びγ0＝０を条件とするｉ番目の中継器Ｒｉにおけるエネルギー正規化係数である。
【０１１４】
このチャネルモデルから、ＳＡＦチャネルは、ＳＴチャネルと同じブロックダイバーシティ特性を有することが分かる。さらに、ＳＴチャネルに関して、線形結合ＬＣのパラメータｓが最小化される場合に、符号化利得は最大化される。
【図面の簡単な説明】
【０１１５】
【図１】本発明による伝送システムの概要を表す図である。
【図２】ブロックチャネルＢＣＨの概要を表す図である。
【図３】本発明によるネスト化ブロックチャネルＮＢＣＨの一実施形態の概要を表す図である。
【図４】ＳＡＦチャネルモデルの中継器間通信プロトコルを表す図である。
【図１】
2009077390.tif 000036
【図２】
2009077390.tif 000037
【図３】
2009077390.tif 000038
【図４】
2009077390.tif 000039
【外国語明細書】
2009077390.tif 000040
2009077390.tif 000041
2009077390.tif 000042
2009077390.tif 000043
2009077390.tif 000044
2009077390.tif 000045
2009077390.tif 000046
2009077390.tif 000047
2009077390.tif 000048
2009077390.tif 000049
2009077390.tif 000050
2009077390.tif 000051
2009077390.tif 000052
2009077390.tif 000053
2009077390.tif 000054
2009077390.tif 000055
2009077390.tif 000056
2009077390.tif 000057
2009077390.tif 000058
2009077390.tif 000059
2009077390.tif 000060
2009077390.tif 000061
2009077390.tif 000062